(57)【要約】    【課題】  底面に空気取入口及び複数の天吊り用器具取り付け用ネジ孔を有するプロジェクタ本体に取り付けて使用することが可能で、かつ、プロジェクタ本体を天吊り状態で使用することが可能なプロジェクタ用防塵ユニットを提供する。    【解決手段】  底面に空気取入口及び複数の天吊り用器具取り付け用ネジ孔を有するプロジェクタ本体１００Ａと、天吊り用器具３００Ａとの間に配置して使用することが可能なプロジェクタ用防塵ユニット２００Ａであって、フィルタを着脱可能な吸気口２３０と、プロジェクタ本体の空気取入口１３０に対向する位置にある排気口と、プロジェクタ本体の複数の天吊り用器具取り付け用ネジ孔１１０と同じ位置関係にある複数のプロジェクタ本体取り付け用ネジ孔２１０と、プロジェクタ本体の複数の天吊り用器具取り付け用ネジ孔１１０と同じ位置関係にある複数の天吊り用器具取り付け用ネジ孔２１２とを有するプロジェクタ用防塵ユニット。【選択図】  図１
2006189549.tif 000002
【特許請求の範囲】
【請求項１】
底面に空気取入口及び複数の天吊り用器具取り付け用ネジ孔を有するプロジェクタ本体と、天吊り用器具との間に配置して使用することが可能なプロジェクタ用防塵ユニットであって、
フィルタを着脱可能な吸気口と、
前記プロジェクタ用防塵ユニットにおける底面に設けられ、前記プロジェクタ本体の前記空気取入口に対向する位置にある排気口と、
前記プロジェクタ用防塵ユニットにおける底面に設けられ、前記プロジェクタ本体の前記複数の天吊り用器具取り付け用ネジ孔と同じ位置関係にある複数のプロジェクタ本体取り付け用ネジ孔と、
前記プロジェクタ用防塵ユニットにおける天面に設けられ、前記プロジェクタ本体の前記複数の天吊り用器具取り付け用ネジ孔と同じ位置関係にある複数の天吊り用器具取り付け用ネジ孔とを有することを特徴とするプロジェクタ用防塵ユニット。
【請求項２】
請求項１に記載のプロジェクタ用防塵ユニットにおいて、
前記複数のプロジェクタ本体取り付け用ネジ孔と、前記複数の天吊り用器具取り付け用ネジ孔とは、平面方向にずれて設けられていることを特徴とするプロジェクタ用防塵ユニット。
【請求項３】
請求項１に記載のプロジェクタ用防塵ユニットにおいて、
前記複数のプロジェクタ本体取り付け用ネジ孔のそれぞれ及び前記複数の天吊り用器具取り付け用ネジ孔のそれぞれは、これらプロジェクタ本体取り付け用ネジ孔及び天吊り用器具取り付け用ネジ孔が統合された貫通孔であることを特徴とするプロジェクタ用防塵ユニット。
【請求項４】
請求項１〜３のいずれかに記載のプロジェクタ用防塵ユニットにおいて、
前記吸気口の面積は、前記プロジェクタ本体における前記空気取入口の面積よりも大きいことを特徴とするプロジェクタ用防塵ユニット。
【請求項５】
請求項１〜４のいずれかに記載のプロジェクタ用防塵ユニットにおいて、
前記吸気口におけるフィルタの目の粗さは、前記プロジェクタ本体における前記空気取入口のフィルタの目の粗さよりも細かいことを特徴とするプロジェクタ用防塵ユニット。
【請求項６】
請求項１〜５のいずれかに記載のプロジェクタ用防塵ユニットにおいて、
前記吸気口は、前記プロジェクタ用防塵ユニットの側面に配置されていることを特徴とするプロジェクタ用防塵ユニット。
【請求項７】
請求項１〜６のいずれかに記載のプロジェクタ用防塵ユニットにおいて、
前記プロジェクタ用防塵ユニットにおける空気流通部分は、前記吸気口及び前記排気口を除いて密閉されていることを特徴とするプロジェクタ用防塵ユニット。
【請求項８】
請求項１〜７のいずれかに記載のプロジェクタ用防塵ユニットにおいて、
前記吸気口から外部の空気を吸気する吸気ファンをさらに有することを特徴とするプロジェクタ用防塵ユニット。
【請求項９】
底面に空気取入口及び複数の天吊り用器具取り付け用ネジ孔を有するプロジェクタ本体と、天吊り用器具と、前記プロジェクタ本体と前記天吊り用器具との間に配置されたプロジェクタ用防塵ユニットとを有するプロジェクタであって、
前記プロジェクタ用防塵ユニットは、請求項１〜８に記載のプロジェクタ用防塵ユニットであることを特徴とするプロジェクタ。
【請求項１０】
請求項９に記載のプロジェクタにおいて、
前記プロジェクタ用防塵ユニットは、前記吸気口から外部の空気を吸気する吸気ファンをさらに有することを特徴とするプロジェクタ。
【請求項１１】
請求項１０に記載のプロジェクタにおいて、
前記プロジェクタ本体の前記空気取入口においては、フィルタが取り外されていることを特徴とするプロジェクタ。
【発明の詳細な説明】
【技術分野】
【０００１】
本発明は、プロジェクタ用防塵ユニット及びプロジェクタに関する。
【背景技術】
【０００２】
従来より、プロジェクタには液晶装置等を空冷するための吸気ファンが設けられており、また、吸気ファンにより吸気された空気から塵埃等を除去するためのフィルターが設けられている。
【０００３】
ところで、プロジェクタは、従来より会議室などで使用されるのが一般的であったが、近年では、例えばパチンコ店、カラオケ店、駅構内、スポーツバー、砂埃の激しい地域などの多様な場所で使用されるようになってきた。このような場所にプロジェクタを設置した場合、プロジェクタ内部のフィルタだけでは塵埃、煙、砂埃など（以下、塵埃等という。）を十分に除去できず、塵埃等がプロジェクタ内部に流入するとともに、液晶装置、光源ランプ、その他の光学部品の表面に付着して、投写画像に悪影響を与えてしまうという問題があった。また、フィルタがすぐに目詰まりするためフィルタの清掃や交換を頻繁に行う必要があるという問題があった。
【０００４】
図８は、そのような問題を解決するために提案された従来のプロジェクタ用防塵ユニット８０を説明するために示す図である（例えば、特許文献１参照。）。
プロジェクタ用防塵ユニット８０は、図８に示すように、略矩形状の筐体８１と、筐体８１の開口面に着脱自在に固定された蓋体８２とを有するユニットケース８３を備え、このユニットケース８３内にフィルタ８４とファン８５とが収納された構成となっている。そして、外部の空気をファン８５により吸気し、吸気される空気に対して上流側のフィルタ８４により粗大な塵埃等を除去し、上流側のフィルタ８４よりも目の細かい下流側のフィルタ８６で微細な塵埃等を除去するように構成されている。ユニットケース８３において、蓋体８２には吸気口８２ａが形成され、筐体８１には、プロジェクタ本体１００の底面に設けられた空気取入口（図示せず。）に対向する位置に排気口８１ａが形成されている。
【０００５】
プロジェクタ用防塵ユニット８０の鍔部８８には、図８（ｂ）に示すように、プロジェクタ本体１００の底面に設けられた４つの天吊り用器具取り付け用ネジ孔（図示せず。）と対応する位置に、４つのプロジェクタ本体取り付け用ネジ孔８９が設けられている。そして、図８（ａ）に示すように、ネジ９０をプロジェクタ本体１００の４つの天吊り用器具取り付け用ネジ孔及び４つのプロジェクタ本体取り付け用ネジ孔８９に螺合させることにより、プロジェクタ本体１００にプロジェクタ用防塵ユニット８０を取り付けることができる。
【０００６】
このようなプロジェクタ用防塵ユニット８０によれば、天面に設けられた吸気口８２ａにおける大面積のフィルタ８４で清浄化された空気がプロジェクタ本体１００に吸気されるようになるため、プロジェクタ本体１００に元来備わっているフィルタと相俟って、塵埃等を十分に除去することができるようになる。このため、プロジェクタ本体１００の内部に塵埃等が流入して、投写画像に悪影響を与えてしまうという問題が抑制される。また、プロジェクタ本体１００に元来備わっているフィルタがすぐに目詰まりすることがなくなり、その結果、プロジェクタ本体１００に備わっているフィルタの清掃や交換を頻繁に行う必要があるという問題が抑制される。
【０００７】
【特許文献１】特開２００４−１７０７４５号公報
【発明の開示】
【発明が解決しようとする課題】
【０００８】
しかしながら、上記のプロジェクタ用防塵ユニット８０においては、プロジェクタ本体１００における複数の天吊り用器具取り付け用ネジ孔８９にネジ９０を螺合させることによってプロジェクタ用防塵ユニット８０をプロジェクタ本体１００に取り付ける必要があるため、このプロジェクタ用防塵ユニット８０が取り付けられたプロジェクタ本体１００には、もはや天吊り用器具を取り付けることができず、その結果、天吊り状態でプロジェクタ本体１００を使用することができなくなるという問題があった。
【０００９】
そこで、本発明は、底面に空気取入口及び複数の天吊り用器具取り付け用ネジ孔を有するプロジェクタ本体に取り付けて使用することが可能で、かつ、プロジェクタ本体を天吊り状態で使用することが可能なプロジェクタ用防塵ユニットを提供することを目的とする。
【課題を解決するための手段】
【００１０】
本発明のプロジェクタ用防塵ユニットは、底面に空気取入口及び複数の天吊り用器具取り付け用ネジ孔を有するプロジェクタ本体と、天吊り用器具との間に配置して使用することが可能なプロジェクタ用防塵ユニットであって、フィルタを着脱可能な吸気口と、前記プロジェクタ用防塵ユニットにおける底面に設けられ、前記プロジェクタ本体の前記空気取入口に対向する位置にある排気口と、前記プロジェクタ用防塵ユニットにおける底面に設けられ、前記プロジェクタ本体の前記複数の天吊り用器具取り付け用ネジ孔と同じ位置関係にある複数のプロジェクタ本体取り付け用ネジ孔と、前記プロジェクタ用防塵ユニットにおける天面に設けられ、前記プロジェクタ本体の前記複数の天吊り用器具取り付け用ネジ孔と同じ位置関係にある複数の天吊り用器具取り付け用ネジ孔とを有することを特徴とする。
【００１１】
このため、本発明のプロジェクタ用防塵ユニットによれば、フィルタを着脱可能な吸気口と、底面に設けられプロジェクタ本体の空気取入口に対向する位置にある排気口とを有しているため、プロジェクタ用防塵ユニットにおけるフィルター及びプロジェクタ本体に元来備わっているフィルタにより空気が清浄化されるため、塵埃等を十分に除去することができるようになる。このため、プロジェクタ本体の内部に塵埃等が流入して、投写画像に悪影響を与えてしまうという問題が抑制される。また、プロジェクタ本体に元来備わっているフィルタがすぐに目詰まりすることがなくなり、その結果、プロジェクタ本体に備わっているフィルタの清掃や交換を頻繁に行う必要があるという問題が抑制される。
【００１２】
また、本発明のプロジェクタ用防塵ユニットによれば、プロジェクタ本体の複数の天吊り用器具取り付け用ネジ孔と同じ位置関係にある複数のプロジェクタ本体取り付け用ネジ孔を有しているため、本発明のプロジェクタ用防塵ユニットを、底面に空気取入口及び複数の天吊り用器具取り付け用ネジ孔を有するプロジェクタ本体に取り付けて使用することが可能になる。また、本発明のプロジェクタ用防塵ユニットによれば、プロジェクタ本体の複数の天吊り用器具取り付け用ネジ孔と同じ位置関係にある複数の天吊り用器具取り付け用ネジ孔を有しているため、本発明のプロジェクタ用防塵ユニットを、天吊り用器具を取り付けた状態で使用することが可能になる。
このため、本発明のプロジェクタ用防塵ユニットによれば、底面に空気取入口及び複数の天吊り用器具取り付け用ネジ孔を有するプロジェクタ本体に取り付けて使用することが可能で、かつ、プロジェクタ本体を天吊り状態で使用することが可能なプロジェクタ用防塵ユニットとなる。
【００１３】
なお、本発明のプロジェクタ用防塵ユニットにおいて、底面とは、プロジェクタ本体を天吊り状態で使用したときに、プロジェクタ本体と天吊り用器具との間に配置されることになるプロジェクタ用防塵ユニットの、プロジェクタ本体側の面のことである。
【００１４】
本発明のプロジェクタ用防塵ユニットにおいては、前記複数のプロジェクタ本体取り付け用ネジ孔と、前記複数の天吊り用器具取り付け用ネジ孔とは、平面方向にずれて設けられていることが好ましい。
【００１５】
このように構成することにより、プロジェクタ本体へのプロジェクタ用防塵ユニットの取り付けと、プロジェクタ用防塵ユニットへの天吊り用器具の取り付けとを円滑に行うことが可能になる。
【００１６】
本発明のプロジェクタ用防塵ユニットにおいては、前記複数のプロジェクタ本体取り付け用ネジ孔のそれぞれ及び前記複数の天吊り用器具取り付け用ネジ孔のそれぞれは、これらプロジェクタ本体取り付け用ネジ孔及び天吊り用器具取り付け用ネジ孔が統合された貫通孔（すなわち、天面から底面を貫通する同一の貫通孔）であることが好ましい。
【００１７】
このように構成することによっても、プロジェクタ本体へのプロジェクタ用防塵ユニットの取り付けと、プロジェクタ用防塵ユニットへの天吊り用器具の取り付けとを円滑に行うことが可能になる。また、この場合、プロジェクタ用防塵ユニットに、プロジェクタ本体取り付け用ネジ孔及び天吊り用器具取り付け用ネジ孔の両方を設ける必要がなくなるので、プロジェクタ用防塵ユニットの構造を単純なものとすることができる。また、プロジェクタ本体へのプロジェクタ用防塵ユニットの取り付けと、プロジェクタ用防塵ユニットへの天吊り用器具の取り付けとを一括して同時に行うことが可能になり、取り付け作業を簡易なものにすることができる。
【００１８】
本発明のプロジェクタ用防塵ユニットにおいては、前記吸気口の面積は、前記プロジェクタ本体における前記空気取入口の面積よりも大きいことが好ましい。
【００１９】
このように構成することにより、プロジェクタ用防塵ユニットにおけるフィルタの単位面積当たりの空気通過量をプロジェクタ本体におけるフィルタの単位面積当たりの空気通過量よりも減じることができる。このため、プロジェクタ用防塵ユニットにおけるフィルタの清掃や交換の頻度をさらに少なくすることができる。このため、塵埃等の多い環境下でプロジェクタ本体を使用する場合であっても、プロジェクタ用防塵ユニットにおけるフィルタの清掃や交換を頻繁に行う必要がなくなる。
また、上記のように構成することにより、プロジェクタ用防塵ユニットにおけるフィルタの単位面積当たりの空気通過量をプロジェクタ本体におけるフィルタの単位面積当たりの空気通過量と同じにした場合には、全体としての空気吸入量を増やすことができる。この場合には、プロジェクタ本体における冷却効率を高めることができる。
【００２０】
本発明のプロジェクタ用防塵ユニットにおいては、前記吸気口におけるフィルタの目の粗さは、前記プロジェクタ本体における前記空気取入口のフィルタの目の粗さよりも細かいことが好ましい。
【００２１】
このように構成することにより、プロジェクタ本体に流入する塵埃等の量をさらに少ないものすることができ、液晶装置、光源ランプ、その他の光学部品の表面に付着して、投写画像に悪影響を与えてしまうという問題をさらに効果的に抑制することができる。
なお、この場合、プロジェクタ用防塵ユニットにおける吸気口の面積を、プロジェクタ本体における空気取入口の面積よりも大きくすることが好ましい。
このように構成することにより、プロジェクタ用防塵ユニットにおけるフィルタの単位面積当たりの空気通過量を減じることができるため、上記のような場合であっても、プロジェクタ用防塵ユニットにおけるフィルタの清掃や交換を頻繁に行う必要がなくなる。
【００２２】
本発明のプロジェクタ用防塵ユニットにおいては、前記吸気口は、前記プロジェクタ用防塵ユニットの側面に配置されていることが好ましい。
【００２３】
このように構成することにより、プロジェクタ用防塵ユニットにおけるフィルタの取り外し・取り付け作業が容易になる。
【００２４】
本発明のプロジェクタ用防塵ユニットにおいては、前記プロジェクタ用防塵ユニットにおける空気流通部分は、前記吸気口及び前記排気口を除いて密閉されていることが好ましい。
【００２５】
このように構成することにより、プロジェクタ用防塵ユニットにおける吸気口から効率良く空気を吸入することができる。また、吸入した空気をフィルタで清浄化したあと、清浄化した空気をプロジェクタ本体に効率良く供給することができる。
【００２６】
本発明のプロジェクタ用防塵ユニットにおいては、前記吸気口から外部の空気を吸気する吸気ファンをさらに有することが好ましい。
【００２７】
このように構成することにより、プロジェクタ用防塵ユニットにおける吸気口から、より大量の空気を吸入することができるため、プロジェクタ本体における冷却効率を高めることができる。
【００２８】
本発明のプロジェクタは、底面に空気取入口及び複数の天吊り用器具取り付け用ネジ孔を有するプロジェクタ本体と、天吊り用器具と、前記プロジェクタ本体と前記天吊り用器具との間に配置されたプロジェクタ用防塵ユニットとを有するプロジェクタであって、前記プロジェクタ用防塵ユニットは、本発明のプロジェクタ用防塵ユニットであることを特徴とする。
【００２９】
このため、本発明のプロジェクタによれば、上記のように構成された本発明のプロジェクタ用防塵ユニットを有するため、プロジェクタ本体に備わっているフィルタの清掃や交換を頻繁に行う必要があるという問題が抑制される。また、本発明のプロジェクタによれば、上記のように構成された本発明のプロジェクタ用防塵ユニットがプロジェクタ本体に取り付けられたプロジェクタを容易に天吊り用状態で使用することができるようになる。
【００３０】
本発明のプロジェクタにおいては、前記プロジェクタ用防塵ユニットは、前記吸気口から外部の空気を吸気する吸気ファンをさらに有することが好ましい。
【００３１】
このように構成することにより、プロジェクタ用防塵ユニットにおける吸気口から、より大量の空気を吸入することができるため、プロジェクタ本体における冷却効率を高めることができる。
【００３２】
本発明のプロジェクタにおいては、前記プロジェクタ本体の空気取入口においては、フィルタが取り外されていることが好ましい。
【００３３】
本発明のプロジェクタにおいては、プロジェクタ用防塵ユニットの吸気口にフィルタが設けられているため、このフィルタによって、プロジェクタ内部に塵埃等が流入するのを除去することができる。このため、本発明のプロジェクタにおいては、プロジェクタ本体の空気取入口に本来備えられていたフィルタを取り外すことができるようになる。その結果、空気の流れがよくなり、プロジェクタ本体における冷却効率を高めることができる。
【発明を実施するための最良の形態】
【００３４】
以下、本発明のプロジェクタ用防塵ユニット及びプロジェクタを、図に示す実施の形態に基づいて説明する。
【００３５】
[実施形態１]
まず、実施形態１に係るプロジェクタ用防塵ユニット及びプロジェクタについて、図１及び図２を用いて説明する。
図１は、実施形態１に係るプロジェクタ用防塵ユニット２００Ａをプロジェクタ本体１００Ａに取り付ける前の状態を示す斜視図である。図２は、実施形態１に係るプロジェクタ用防塵ユニット２００Ａをプロジェクタ本体１００Ａに取り付けた状態を説明するために示す斜視図である。図２（ａ）はプロジェクタ１Ａの斜視図であり、図２（ｂ）は図２（ａ）の符号Ｚ１で示す部分の矢印Ｘ−Ｘ線に沿った部分拡大図である。
【００３６】
実施形態１に係るプロジェクタ１Ａは、図１及び図２に示すように、プロジェクタ本体１００Ａと、天吊り用器具３００Ａと、プロジェクタ本体１００Ａと天吊り用器具３００Ａとの間に配置されたプロジェクタ用防塵ユニット２００Ａとを有し、天吊り用状態で使用するプロジェクタである。このため、図１及び図２においては、天吊り状態、すなわち、プロジェクタ本体１００Ａの底面１０８を上に向けた状態で示している。
【００３７】
プロジェクタ本体１００Ａの底面１０８には、空気を吸入するための空気取入口１３０と、４つの天吊り用器具取り付け用ネジ孔１１０とが設けられている。また、プロジェクタ本体１００Ａの前面１０４には、投写レンズ７８と、空気取入口１３０から吸入した空気を排気する排気口１４０とが設けられている。なお、空気取入口１３０にはフィルタ１３２（図３参照。）が取り付けられている。
【００３８】
実施形態１に係るプロジェクタ用防塵ユニット２００Ａは、プロジェクタ本体１００Ａと、天吊り用器具３００との間に配置して使用することが可能な構造を有している。そして、プロジェクタ用防塵ユニット２００Ａの側面２０６に設けられ、フィルタ２３２を着脱可能な吸気口２３０と、底面２０４に設けられ、プロジェクタ本体１００Ａの空気取入口１３０に対向する位置にある排気口２４０（図３参照。）と、底面２０４に設けられ、プロジェクタ本体１００Ａにおける４つの天吊り用器具取り付け用ネジ孔１１０と同じ位置関係にある４つのプロジェクタ本体取り付け用ネジ孔２１０と、天面２０８に設けられ、プロジェクタ本体１００Ａにおける４つの天吊り用器具取り付け用ネジ孔１１０と同じ位置関係にある４つの天吊り用器具取り付け用ネジ孔２１２とを有している。
【００３９】
吸気口２３０には、図２（ｂ）に示すように、フィルタ２３２、フィルタ取り付け用枠２３０ａ及びスリット２３４が設けられている。
【００４０】
天吊り用器具３００Ａは、プロジェクタ本体１００Ａにおける４つの天吊り用器具取り付け用ネジ孔１１０と同じ位置関係にある４つのプロジェクタ本体取り付け用ネジ孔３１２と、図示しない天井取り付け手段とを有している。
【００４１】
このため、実施形態１に係るプロジェクタ用防塵ユニット２００Ａによれば、フィルタ２３２を着脱可能な吸気口２３０と、底面２０４に設けられプロジェクタ本体１００Ａの空気取入口１３０に対向する位置にある排気口２４０とを有しているため、プロジェクタ本体１００Ａに元来備わっているフィルタ１３２と相俟って、塵埃等を十分に除去することができるようになる。このため、プロジェクタ本体１００Ａの内部に塵埃等が流入して、投写画像に悪影響を与えてしまうという問題が抑制される。また、プロジェクタ本体１００Ａに元来備わっているフィルタ１３２がすぐに目詰まりすることがなくなり、その結果、プロジェクタ本体１００Ａに備わっているフィルタ１３２の清掃や交換を頻繁に行う必要があるという問題が抑制される。
【００４２】
また、実施形態１に係るプロジェクタ用防塵ユニット２００Ａによれば、プロジェクタ本体１００Ａにおける４つの天吊り用器具取り付け用ネジ孔１１０と同じ位置関係にある４つのプロジェクタ本体取り付け用ネジ孔２１０を有しているため、実施形態１に係るプロジェクタ用防塵ユニット２００Ａをプロジェクタ本体１００Ａに取り付けて使用することが可能になる。また、実施形態１に係るプロジェクタ用防塵ユニット２００Ａによれば、プロジェクタ本体１００Ａにおける４つの天吊り用器具取り付け用ネジ孔１１０と同じ位置関係にある４つの天吊り用器具取り付け用ネジ孔２１２を有しているため、実施形態１に係るプロジェクタ用防塵ユニット２００Ａに天吊り用器具３００Ａを取り付けた状態で使用することが可能になる。
【００４３】
このため、実施形態１に係るプロジェクタ用防塵ユニット２００Ａによれば、底面１０８に空気取入口１３０及び４つの天吊り用器具取り付け用ネジ孔１１０を有するプロジェクタ本体１００Ａに取り付けて使用することが可能で、かつ、プロジェクタ本体１００Ａを天吊り状態で使用することが可能なプロジェクタ用防塵ユニットとなる。
【００４４】
実施形態１に係るプロジェクタ用防塵ユニット２００Ａにおいては、図１に示すように、４つのプロジェクタ本体取り付け用ネジ孔２１０と、４つの天吊り用器具取り付け用ネジ孔２１２とは、平面奥行き方向にずれて設けられている。
【００４５】
このため、実施形態１に係るプロジェクタ用防塵ユニット２００Ａによれば、プロジェクタ本体１００Ａへのプロジェクタ用防塵ユニット２００Ａの取り付けと、プロジェクタ用防塵ユニット２００Ａへの天吊り用器具３００Ａの取り付けとを円滑に行うことが可能になる。
【００４６】
実施形態１に係るプロジェクタ用防塵ユニット２００Ａにおいては、図１及び図２に示すように、吸気口２３０はプロジェクタ用防塵ユニット２００Ａの側面２０６に配置されている。
【００４７】
このため、実施形態１に係るプロジェクタ用防塵ユニット２００Ａによれば、プロジェクタ用防塵ユニット２００Ａにおけるフィルタ２３２の取り外し作業が容易になる。
【００４８】
実施形態１に係るプロジェクタ１Ａにおいては、プロジェクタ用防塵ユニット２００Ａにおける吸気口２３０の面積は、プロジェクタ本体１００Ａにおける空気取入口１３０の面積よりも大きく設定されている。
【００４９】
このため、実施形態１に係るプロジェクタ１Ａによれば、プロジェクタ用防塵ユニット２００Ａにおけるフィルタ２３２の単位面積当たりの空気通過量をプロジェクタ本体１００におけるフィルタ１３２の単位面積当たりの空気通過量よりも減じることができるため、プロジェクタ用防塵ユニット２００Ａにおけるフィルタ２３２の清掃や交換の頻度をさらに少なくすることができる。このため、塵埃等の多い環境下でプロジェクタ１Ａを使用する場合であっても、プロジェクタ用防塵ユニット２００Ａにおけるフィルタ２３２の清掃や交換を頻繁に行う必要がなくなる。
また、プロジェクタ用防塵ユニット２００Ａにおけるフィルタ２３２の単位面積当たりの空気通過量をプロジェクタ本体１００におけるフィルタ１３２の単位面積当たりの空気通過量と同じにした場合には、全体としての空気吸入量を増やすことができるため、プロジェクタ本体１００Ａにおける冷却効率を高めることができるという効果が得られる。
【００５０】
実施形態１に係るプロジェクタ１Ａにおいては、プロジェクタ用防塵ユニット２００Ａにおける吸気口２３０のフィルタ２３２の目の粗さは、プロジェクタ本体１００Ａにおける空気取入口１３０のフィルタ１３２の目の粗さよりも細かく設定されている。
【００５１】
このため、実施形態１に係るプロジェクタ１Ａによれば、プロジェクタ本体１００Ａに流入する塵埃等の量をさらに少ないものすることができ、プロジェクタ本体１００Ａに含まれる液晶装置、光源ランプ、その他の光学部品の表面に付着して、投写画像に悪影響を与えてしまうという問題をさらに効果的に抑制することができる。
【００５２】
実施形態１に係るプロジェクタ用防塵ユニット２００Ａにおいては、プロジェクタ用防塵ユニット２００Ａにおける空気流通部分は、吸気口２３０及び排気口２４０を除いて密閉されている。
【００５３】
このため、実施形態１に係るプロジェクタ用防塵ユニット２００Ａによれば、プロジェクタ用防塵ユニット２００Ａにおける吸気口２３０から効率良く空気を吸入することができる。また、吸入した空気をフィルタ２３２で清浄化したあと、清浄化した空気をプロジェクタ本体１００Ａに効率良く供給することができる。
【００５４】
なお、実施形態１に係るプロジェクタ用防塵ユニット２００Ａにおいては、プロジェクタ本体１００Ａとプロジェクタ用防塵ユニット２００Ａとの密着性をより高めるために、排気口２４０の外周に沿ってゴムや合成樹脂などからなるパッキング材（図示せず。）を設けることとしている。
【００５５】
プロジェクタ１Ａにおいては、プロジェクタ本体１００が吸気ファン１３６を有しているため、プロジェクタ用防塵ユニット２００Ａには必ずしも吸気ファンは必要はない。しかしながら、実施形態１に係るプロジェクタ用防塵ユニット２００Ａにおいては、吸気口２３０から外部の空気を吸気する吸気ファン（図示せず。）をさらに有することとしている。
【００５６】
このため、実施形態１に係るプロジェクタ用防塵ユニット２００Ａによれば、プロジェクタ用防塵ユニット２００Ａにおける吸気口２３０から、より大量の空気を吸入することができるため、プロジェクタ本体１００Ａにおける冷却効率を高めることができる。
【００５７】
フィルタ２３２は、図２（ｂ）に示すように、吸気口２３０に着脱自在に取り付けられている。なお、フィルタ２３２の着脱は、吸気口２３０におけるスリット２３４を吸気口２３０から取り外すことによって可能となる。また、フィルタ２３２は、その表面積をより大きくするために蛇腹状とすることが好ましい。
【００５８】
実施形態１に係るプロジェクタ用防塵ユニット２００Ａにおいては、プロジェクタ１Ａを使用する環境に応じて最適なフィルタを選択できるように、色々な種類のフィルタを準備しておくことが好ましい。たとえば、タバコの煙などが多い環境下でプロジェクタ１Ａを使用する場合には、煙を効率良く除去できるフィルタを用い、粒子の粗い埃などの多い環境下でプロジェクタ１Ａを使用する場合には、粒子の粗い埃を効率良く除去できるフィルタを用いる。
【００５９】
実施形態１に係るプロジェクタ１Ａにおいては、天吊り用器具３００Ａは、図１に示すように、プロジェクタ本体１００Ａに設けられた４つの天吊り用器具取り付け用ネジ孔１１０に対応する４つのプロジェクタ本体取り付け用ネジ孔３１２が設けられている。天吊り用器具３００Ａは、プロジェクタ本体１００Ａを天吊り状態で用いる場合に、本来はプロジェクタ本体１００Ａに直接取り付けられる予定のものである。
【００６０】
すなわち、プロジェクタ用防塵ユニット２００Ａをプロジェクタ本体１００Ａに取り付けない場合は、天吊り用器具３００Ａはプロジェクタ本体１００Ａに直接取り付けられる。この場合は、天吊り用器具３００Ａにおける４つのプロジェクタ本体取り付け用ネジ孔３１２とプロジェクタ本体１００Ａにおける４つの天吊り用器具取り付け用ネジ孔１１０とを位置合わせした状態で、ネジＳ１を用いて固定する。
【００６１】
一方、プロジェクタ用防塵ユニット２００Ａをプロジェクタ本体１００Ａに取り付ける場合は、天吊り用器具３００Ａはプロジェクタ用防塵ユニット２００Ａに取り付けられることになる。この場合は、天吊り用器具３００Ａにおける４つのプロジェクタ本体取り付け用ネジ孔３１２とプロジェクタ用防塵ユニット２００Ａにおける４つの天吊り用器具取り付け用ネジ孔２１２とを位置合わせした状態で、ネジＳ２を用いて固定する。
【００６２】
このように、天吊り用器具３００Ａは、プロジェクタ本体１００Ａ及びプロジェクタ用防塵ユニット２００Ａのいずれにも取り付け可能となっている。このため、プロジェクタ用防塵ユニット２００Ａにおける４つの天吊り用器具取り付け用ネジ孔２１２は、プロジェクタ本体１００Ａにおける４つの天吊り用器具取り付け用ネジ孔１１０と同じ位置関係になるように設けられる。
【００６３】
すなわち、図１に示すように、プロジェクタ本体１００Ａにおける４つの天吊り用器具取り付け用ネジ孔１１０のうち、プロジェクタ本体１００Ａの奥行き方向に離間する２つの天吊り用器具取り付け用ネジ孔１１０の孔間距離をＬ１、プロジェクタ本体１００Ａの横幅方向に離間する２つの天吊り用器具取り付け用ネジ孔１１０の孔間距離をＬ２とすれば、プロジェクタ用防塵ユニット２００Ａにおける４つの天吊り用器具取り付け用ネジ孔２１２のうち、プロジェクタ用防塵ユニット２００Ａの奥行き方向に離間する２つの天吊り用器具取り付け用ネジ孔２１２の孔間距離もＬ１となるように設定され、プロジェクタ用防塵ユニット２００Ａの横幅方向に離間する２つの天吊り用器具取り付け用ネジ孔２１２の孔間距離もＬ２となるように設定される。
【００６４】
これによって、天吊り用器具３００Ａは、プロジェクタ用防塵ユニット２００Ａにおける４つの天吊り用器具取り付け用ネジ孔２１２を用いて、プロジェクタ用防塵ユニット２００Ａに取り付けることができる。
【００６５】
また、プロジェクタ用防塵ユニット２００Ａにおいては、プロジェクタ用防塵ユニット２００Ａにおける４つのプロジェクタ本体取り付け用ネジ孔２１０も、プロジェクタ本体１００Ａにおける４つの天吊り用器具取り付け用ネジ孔１１０と同じ位置関係になるように設けられる。
【００６６】
すなわち、図１に示すように、プロジェクタ用防塵ユニット２００Ａにおける４つのプロジェクタ本体取り付け用ネジ孔２１０のうち、プロジェクタ用防塵ユニット２００Ａの奥行き方向に離間する２つのプロジェクタ本体取り付け用ネジ孔２１０の孔間距離もＬ１となるように設定され、プロジェクタ用防塵ユニット２００Ａの横幅方向に離間する２つのプロジェクタ本体取り付け用ネジ孔２１０の孔間距離もＬ２となるように設定される。
【００６７】
これによって、プロジェクタ用防塵ユニット２００Ａは、プロジェクタ本体１００Ａの天吊り用器具取り付け用ネジ孔１１０を用いて、プロジェクタ本体１００Ａに取り付けることができる。
【００６８】
なお、プロジェクタ用防塵ユニット２００Ａをプロジェクタ本体１００Ａに取り付ける際に用いるネジＳ１は、プロジェクタ用防塵ユニット２００Ａに天吊り用器具３００Ａを取り付けるために用いるネジＳ２と同じ種類のネジを用いるようにすることができる。従って、実施形態１に係るプロジェクタ用防塵ユニット２００Ａを使用する際には、天吊り用器具３００Ａをプロジェクタ本体１００Ａに取り付けるために元々準備してあったネジＳ１のほかに、天吊り用器具３００Ａをプロジェクタ用防塵ユニット２００Ａに固定するためのネジＳ２を準備しておく。
【００６９】
図３は、実施形態１に係るプロジェクタ用防塵ユニット２００Ａをプロジェクタ本体１００Ａに取り付けた状態を説明するために示す断面図である。図３（ａ）は図２（ａ）のＹ−Ｙ断面図であり、図３（ｂ）は図３（ａ）の符号Ｚ２で示す部分の部分拡大図である。
【００７０】
図３に示すように、プロジェクタ用防塵ユニット２００Ａには、プロジェクタ本体１００Ａの空気取入口１３０に対向するように排気口２４０が設けられている。また、プロジェクタ用防塵ユニット２００Ａの内側の側面角部には肉厚部２０２ａが設けられ、この肉厚部２０２ａにプロジェクタ本体取り付け用ネジ孔２１０と天吊り用器具取り付け用ネジ孔２１２が設けられている。
【００７１】
プロジェクタ本体取り付け用ネジ孔２１０は、図３（ｂ）に示すように、中心軸を共通とする大径部２１０ａと小径部２１０ｂとからなり、大径部２１０ａは一般的なドライバの先端部が余裕を持って進入可能な径を有し、プロジェクタ用防塵ユニット２００Ａの下端面から肉厚部２０２ａの厚みｔを残して、プロジェクタ用防塵ユニット２００Ａの上端面から所定の深さまで設けられる。一方、小径部２１０ｂはネジＳ１が進入可能な径を有する。
【００７２】
なお、プロジェクタ本体１００Ａの空気取入口１３０及びファン１３６は、プロジェクタ本体１００Ａにおける各種光学部品のうち、特に、後述する液晶装置７２Ｒ，７２Ｇ，７２Ｂや光源ランプ５０などの熱発生源の近傍に設けられ、これらの熱発生源をより効果的に冷却することが可能になっている。
【００７３】
図４は、プロジェクタ本体１００Ａに用いられる光学系の一例を示す図である。
プロジェクタ本体１００Ａは、図４に示すように、光源ランプ５０、インテグレータレンズ５２、偏光変換素子５４、重畳レンズ５６、赤色光Ｒを通過させて緑色光Ｇ及び青色光Ｂを反射するダイクロイックミラー５８、青色光Ｂを通過させて緑色光Ｇを反射するダイクロイックミラー６０、各色光（Ｒ，Ｇ，Ｂ）用の液晶装置７２Ｒ，７２Ｇ，７２Ｂ、赤色光を液晶装置７２Ｒに入射させるための反射ミラー６２、青色光を液晶装置７２Ｂに入射させるための２つの反射ミラー６４，６６、ダイクロイックミラー６０と反射ミラー６４との間に配置されるリレーレンズ６８、反射ミラー６４と反射ミラー６６との間に配置されるリレーレンズ７０、各液晶装置７２Ｒ，７２Ｇ，７２Ｂの入射側及び射出側に設けられる偏光板７４、色合成光学系としてのクロスダイクロイックプリズム７６及び投写光学系としての投写レンズ７８を有している。
【００７４】
次に、プロジェクタ用防塵ユニット２００Ａをプロジェクタ本体１００Ａに取り付ける手順について説明する。
【００７５】
まず、プロジェクタ用防塵ユニット２００Ａをプロジェクタ本体１００Ａに取り付ける。この場合、プロジェクタ用防塵ユニット２００Ａにおけるプロジェクタ本体取り付け用ネジ孔２１０とプロジェクタ本体１００Ａにおける天吊り用器具取り付け用ネジ孔１１０とを位置合わせし、ドライバによって、ネジＳ１を大径部２１０ａから侵入させて、さらに、ネジＳ１の先端を小径部２１０ｂに挿入させ、ネジＳ１を締めて行く。
【００７６】
次に、天吊り用器具３００Ａをプロジェクタ用防塵ユニット２００Ａに取り付ける。天吊り用器具３００Ａのプロジェクタ用防塵ユニット２００Ａへの取り付けは、天吊り用器具３００Ａにおける４つのプロジェクタ本体取り付け用ネジ孔３１２とプロジェクタ用防塵ユニット２００Ａにおける４つの天吊り用器具取り付け用ネジ孔２１２とを位置合わせした状態で、ネジＳ２によって固定することにより行う。
【００７７】
このため、プロジェクタ用防塵ユニット２００Ａにおける４つのプロジェクタ本体取り付け用ネジ孔２１０と、プロジェクタ本体１００Ａにおける４つの天吊り用器具取り付け用ネジ孔１１０とが同じ位置関係で設けられているので、プロジェクタ本体１００Ａに特別な加工を施すことなく、プロジェクタ本体１００Ａにプロジェクタ用防塵ユニット２００Ａをそのまま取り付けることが可能となる。
【００７８】
また、プロジェクタ用防塵ユニット２００Ａにおける４つの天吊り用器具取り付け用ネジ孔２１２と、天吊り用器具３００Ａにおける４つのプロジェクタ本体取り付け用ネジ孔３１２とが同じ位置関係で設けられているので、天吊り用器具３００Ａに特別な加工などを施すことなく、プロジェクタ用防塵ユニット２００Ａに天吊り用器具３００Ａをそのまま取り付けることが可能になる。
【００７９】
以上のような取り付け作業を行うことにより、図２に示すように、プロジェクタ本体１００Ａにプロジェクタ用防塵ユニット２００Ａが取り付けられ、さらに、プロジェクタ用防塵ユニット２００Ａに天吊り用器具３００Ａが取り付けられた状態となる。
【００８０】
プロジェクタ用防塵ユニット２００Ａ及び天吊り用器具３００Ａの取り付けられたプロジェクタ本体１００Ａを天井などに吊るした状態で動作させると、プロジェクタ本体１００Ａの動作時には、プロジェクタ本体１００Ａ内に設けられたファン１３６の回転によって、プロジェクタ用防塵ユニット２００Ａから空気が吸入され、吸入された空気はフィルタ２３２で清浄化されたのち、プロジェクタ用防塵ユニット２００Ａの排気口２４０からプロジェクタ本体１００Ａの空気取入口１３０を通って、プロジェクタ本体１００Ａ内に供給される。
【００８１】
[実施形態２]
図５は、実施形態２に係るプロジェクタ用防塵ユニット２００Ｂをプロジェクタ本体１００Ａに取り付ける前の状態を示す斜視図である。図５において図１と同一部分には同一符号が付されている。
【００８２】
実施形態２に係るプロジェクタ用防塵ユニット２００Ｂは、実施形態１に係るプロジェクタ用防塵ユニット２００Ａと基本的には同じ構成を有しているが、プロジェクタ本体取り付け用ネジ孔と天吊り用器具取り付け用ネジ孔の構成が異なる。すなわち、実施形態２に係るプロジェクタ用防塵ユニット２００Ｂは、実施形態１に係るプロジェクタ用防塵ユニット２００Ａにおける４つのプロジェクタ本体取り付け用ネジ孔２１０及び４つの複数の複数の天吊り用器具取り付け用ネジ孔２１２（ともに図１参照。）とを統合して、図５に示すように、４つの貫通孔２１４としている。
【００８３】
このように、実施形態２に係るプロジェクタ用防塵ユニット２００Ｂは、プロジェクタ本体取り付け用ネジ孔と天吊り用器具取り付け用ネジ孔の構成が、実施形態１に係るプロジェクタ用防塵ユニット２００Ａとは異なるが、実施形態１に係るプロジェクタ用防塵ユニット２００Ａにおける４つのプロジェクタ本体取り付け用ネジ孔２１０及び４つの天吊り用器具取り付け用ネジ孔２１２とを合体した構造を有する４つの貫通孔２１４を有しているため、実施形態１に係るプロジェクタ用防塵ユニット２００Ａの場合と同様に、プロジェクタ本体１００Ａへのプロジェクタ用防塵ユニット２００Ｂの取り付けと、プロジェクタ用防塵ユニット２００Ｂへの天吊り用器具３００Ａの取り付けとを円滑に行うことが可能になる。
【００８４】
また、実施形態２に係るプロジェクタ用防塵ユニット２００Ｂによれば、プロジェクタ用防塵ユニット２００Ｂに、プロジェクタ本体取り付け用ネジ孔及び天吊り用器具取り付け用ネジ孔の両方を設ける必要がなくなるので、プロジェクタ用防塵ユニット２００Ｂの構造を単純なものとすることができ、また、プロジェクタ本体１００Ａへのプロジェクタ用防塵ユニット２００Ｂの取り付けと、プロジェクタ用防塵ユニット２００Ｂへの天吊り用器具３００Ａの取り付けとを一括して同時に行うことが可能になり、取り付け作業を簡易なものにすることができる。
【００８５】
実施形態２に係るプロジェクタ用防塵ユニット２００Ｂにおいては、図５に示すように、天吊り用器具３００Ａとプロジェクタ本体１００Ａとを、通しネジＳ３を用いて一体化することとしている。この通しネジＳ３は、プロジェクタ本体１００Ａにおける天吊り用器具取り付け用ネジ孔１１０に螺合可能なネジであって、天吊り用器具３００Ａのプロジェクタ本体取り付け用ネジ孔３１２からプロジェクタ用防塵ユニット２００Ｂにおける貫通孔２１４を貫いて、その先端部がプロジェクタ本体１００Ａにおける天吊り用器具取り付け用ネジ孔１１０に螺合して、天吊り用器具３００Ａとプロジェクタ用防塵ユニット２００Ｂとをプロジェクタ本体１００Ａに固定できるような長さを有している。
【００８６】
このように構成された実施形態２に係るプロジェクタ用防塵ユニット２００Ｂをプロジェクタ本体１００Ａに取り付けるには、まず、プロジェクタ用防塵ユニット２００Ｂにおける貫通孔２１４とプロジェクタ本体１００Ａにおける天吊り用器具取り付け用ネジ孔１１０とを位置合わせする。また、天吊り用器具３００Ａにおけるプロジェクタ本体取り付け用ネジ孔３１２をプロジェクタ用防塵ユニット２００Ｂにおける貫通孔２１４に位置合わせする。
【００８７】
その後、通しネジＳ３を、天吊り用器具３００Ａにおけるプロジェクタ本体取り付け用ネジ孔３１２及びプロジェクタ用防塵ユニット２００Ｂにおける貫通孔２１４を介して、プロジェクタ本体１００Ａにおける天吊り用器具取り付け用ネジ孔１１０に挿入して、ドライバによって、通しネジＳ３を締めて行く。これによって、通しネジＳ３の先端部がプロジェクタ本体１００Ａにおける天吊り用器具取り付け用ネジ孔１１０に螺合して、天吊り用器具３００Ａとプロジェクタ用防塵ユニット２００Ａとがプロジェクタ本体１００Ａに固定される。
【００８８】
[実施形態３]
図６は、実施形態３に係るプロジェクタ用防塵ユニット２００Ｃの分解した状態を示す斜視図である。図６に示すプロジェクタ用防塵ユニット２００Ｃにおいては、上記各実施形態で説明したプロジェクタ用防塵ユニット２００Ａ，２００Ｂの場合と同一部分には同一符号が付されている。
【００８９】
実施形態３に係るプロジェクタ用防塵ユニット２００Ｃは、プロジェクタ用防塵ユニット２００Ｃを底部ケース２００Ｃ１と蓋体２００Ｃ２とで構成した点が、上記各実施形態に係るプロジェクタ用防塵ユニット２００Ａ，２００Ｂの場合と異なる。
【００９０】
底部ケース２００Ｃ１には、吸気口２３０と排気口２４０とが設けられる。また、底部ケース２００Ｃ１には、ネジＳ１（図示せず。）によってこれをプロジェクタ本体１００Ａ（図示せず。）に固定するためのプロジェクタ本体取り付け用ネジ孔２１６と、蓋体２００Ｃ２をネジＳ４によって底部ケース２００Ｃ１に固定するためのネジ孔２１８とが設けられている。プロジェクタ本体取り付け用ネジ孔２１６は、プロジェクタ本体１００Ａにおける天吊り用器具取り付け用ネジ孔１１０（図示せず。）に対応する位置に設けられる。
【００９１】
また、ネジ孔２１８は、底部ケース２００Ｃ１の側面の内部に突出して設けられたネジ受け部２１８ａに設けられる。このように、ネジ受け部２１８ａにネジ孔２１８を設けることによって、ネジＳ４の取り付け部からプロジェクタ用防塵ユニット２００Ｃ内に空気が入ることが無く、プロジェクタ用防塵ユニット２００Ｃの密閉性を保持することができる。なお、底部ケース２００Ｃ１の側面全体を肉厚とすることによってもネジ受け部としての役目を果たすこともできる。
【００９２】
一方、蓋体２００Ｃ２には、天吊り用器具３００Ａ（図示せず。）を取り付けるための天吊り用器具取り付け用ネジ孔２２０が設けられている。そして、底部ケース２００Ｃ１と蓋体２００Ｃ２とは、気密性を保持できるようにゴム製などのパッキング材（図示せず。）を介在させた状態で、ネジＳ４により固定される。
【００９３】
このような構成の防塵ユニット２００Ｃをプロジェクタ本体１００Ａに取り付けるには、まず、底部ケース２００Ｃ１におけるプロジェクタ本体取り付け用ネジ孔２１６とプロジェクタ本体１００Ａにおける天吊り用器具取り付け用ネジ孔１１０とを位置合わせして、ネジＳ１により固定する。このとき、ネジＳ１の頭と底部ケース２００Ｃ１の底面との間にゴム製などのワッシャを介在させれば、プロジェクタ用防塵ユニット２００Ｃの密閉性をより高めることができる。
【００９４】
次に、蓋体２００Ｃ２を底部ケース２００Ｃ１にかぶせてネジＳ４により底部ケース２００Ｃ１に固定する。そして、天吊り用器具３００Ａのプロジェクタ本体取り付け用ネジ孔３１２と蓋体２００Ｃ２における天吊り用器具取り付け用ネジ孔２２０とを位置合わせして、ネジＳ２によって固定する。
【００９５】
このため、実施形態３に係る防塵ユニット２００Ｃによれば、上記各実施形態と同様の効果が得られる。また、実施形態３に係るプロジェクタ用防塵ユニット２００Ｃは、底部ケース２００Ｃ１の底面をネジ止めするだけで底部ケース２００Ｃ１をプロジェクタ本体１００Ａに固定でき、あとは、蓋体２００Ｃ２を取り付ければよいので、プロジェクタ本体１００Ａへの取り付けが容易になる。
【００９６】
[実施形態４]
図７は、実施形態４に係るプロジェクタ１Ｄを説明するために示す断面図である。図７において、図３と同一部分には同一符号が付されている。
【００９７】
実施形態４に係るプロジェクタ１Ｄは、実施形態１に係るプロジェクタ１Ａと基本的には同じ構成を有しているが、図７に示すように、プロジェクタ本体１００Ｂにおける空気取入口１３０からフィルタ１３２が取り外されている点が異なる。
【００９８】
このため、実施形態４に係るプロジェクタ１Ｄによれば、プロジェクタ本体１００Ｂの空気取入口１３０Ｂにおける空気の流れがよくなり、プロジェクタ本体１００Ｂにおける冷却効率を高めることができる。
なお、この場合、プロジェクタ用防塵ユニット２００Ａの吸気口２３０にはフィルタ２３２（ともに図示せず。）が設けられているため、塵埃等がプロジェクタ本体１００Ｂに流入されることもない。
【００９９】
以上、本発明の防塵ユニットを上記実施形態に基づいて説明したが、本発明は上記の実施形態に限られるものではなく、本発明の要旨を逸脱しない範囲で種々の態様において実施することが可能であり、たとえば、以下のような変形も可能である。
【０１００】
（１）上記各実施形態のプロジェクタ用防塵ユニット２００Ａ〜２００Ｃには、４つの天吊り用器具取り付け用ネジ孔２１２，２１４，２２０からなる１組の天吊り用器具取り付け手段が設けられているが、本発明はこれに限定されるものではない。例えば、４つの天吊り用器具取り付け用ネジ孔からなる天吊り用器具取り付け手段が２組以上設けられていてもよい。このようにすれば、プロジェクタ本体１００Ａを天吊り状態で使用する際、プロジェクタ用防塵ユニット２００Ａ〜２００Ｃを、適切な重量バランスが得られる位置に取り付けることが可能になる。
【０１０１】
（２）上記各実施形態のプロジェクタ用防塵ユニット２００Ａ〜２００Ｃには、１つの吸気口２３０が設けられているが、本発明はこれに限定されるものではない。複数の吸気口が設けられていてもよい。
【０１０２】
（３）上記各実施形態のプロジェクタ１Ａ，１Ｂ，１Ｄは透過型のプロジェクタであるが、本発明はこれに限定されるものではない。本発明は反射型のプロジェクタにも適用することが可能である。ここで、「透過型」とは、透過型の液晶装置等のように光変調手段としての電気光学変調装置が光を透過するタイプであることを意味しており、「反射型」とは、反射型液晶装置のように光変調手段としての電気光学変調装置が光を反射するタイプであることを意味している。反射型のプロジェクタにこの発明を適用した場合にも、透過型のプロジェクタと同様の効果を得ることができる。 
【０１０３】
（４）上記各実施形態のプロジェクタ１Ａ，１Ｂ，１Ｄは、電気光学変調装置として液晶装置を用いているが、本発明はこれに限定されるものではない。電気光学変調装置としては、一般に、入射光を画像情報に応じて変調するものであればよく、マイクロミラー型光変調装置などを利用してもよい。マイクロミラー型光変調装置としては、例えば、ＤＭＤ（デジタルマイクロミラーデバイス）（ＴＩ社の商標）を用いることができる。
【図面の簡単な説明】
【０１０４】
【図１】実施形態１に係るプロジェクタ用防塵ユニット２００Ａをプロジェクタ本体１００Ａに取り付ける前の状態を示す斜視図。
【図２】実施形態１に係るプロジェクタ用防塵ユニット２００Ａをプロジェクタ本体１００Ａに取り付けた状態を説明するために示す斜視図。
【図３】実施形態１に係るプロジェクタ用防塵ユニット２００Ａをプロジェクタ本体１００Ａに取り付けた状態を説明するために示す断面図。
【図４】プロジェクタ本体１００に用いられる光学系の一例を示す図。
【図５】実施形態２に係るプロジェクタ用防塵ユニット２００Ｂをプロジェクタ本体１００に取り付ける前の状態を示す斜視図。
【図６】実施形態３に係るプロジェクタ用防塵ユニット２００Ｃの分解した状態を示す斜視図。
【図７】実施形態４に係るプロジェクタを説明するために示す断面図。
【図８】従来のプロジェクタに取り付けた状態を示す斜視図。
【符号の説明】
【０１０５】
１Ａ，１Ｂ，１Ｄ…プロジェクタ、５０…光源ランプ、５２…インテグレータレンズ、５４…偏光変換素子、５６…重畳レンズ、５８，６０…ダイクロイックミラー、６２，６４，６６…反射ミラー、６８，７０…リレーレンズ、７２Ｒ，７２Ｇ，７２Ｂ…液晶装置、７４…偏光板、７６…クロスダイクロイックプリズム、７８…投写レンズ、８０，２００Ａ，２００Ｂ，２００Ｃ，２００Ｄ…プロジェクタ用防塵ユニット、８１…筐体、８１ａ，１４０，２４０…排気口、８２…蓋体、８２ａ，２３０…吸気口、８３…ユニットケース、８４，８６，１３２，２３２…フィルタ、８５…ファン、８８…鍔部、８９…プロジェクタ本体取り付け用ネジ部、９０…ネジ、１００，１００Ａ，１００Ｂ…プロジェクタ本体、１０４…プロジェクタ本体の前面、１０８…プロジェクタ本体の底面、１１０…プロジェクタ本体の天吊り用器具取り付け用ネジ孔、１３０，１３０Ｂ…空気取入口、２００Ｃ１…底部ケース、２００Ｃ２…蓋体、２０２ａ…肉厚部、２０４…プロジェクタ用防塵ユニットの底面、２０６…プロジェクタ用防塵ユニットの側面、２１０，２１６…プロジェクタ用防塵ユニットのプロジェクタ本体取り付け用ネジ孔、２１０ａ…大径部、２１０ｂ…小径部、２１２，２２０…プロジェクタ用防塵ユニットの天吊り用器具取り付け用ネジ孔、２１４…貫通孔、２１８…ネジ孔、２１８ａ…ネジ受け部、２３２ａ…フィルタ取り付け用枠、２３４…スリット、３１２…天吊り用器具のプロジェクタ本体取り付け用ネジ孔、Ｓ１，Ｓ２，Ｓ４・…ネジ、Ｓ３…通しネジ
【図１】
2006189549.tif 000003
【図２】
2006189549.tif 000004
【図３】
2006189549.tif 000005
【図４】
2006189549.tif 000006
【図５】
2006189549.tif 000007
【図６】
2006189549.tif 000008
【図７】
2006189549.tif 000009
【図８】
2006189549.tif 000010